(57)【要約】【課題】  コンテンツに対応して照明光を制御すると共に、それ以外の要素に応じて照明光を制御できる照明制御システムを提供する。【解決手段】  照明制御システムは、照明光の色温度又は当該照明光によって照明される任意の面の照度が調整可能な照明装置(1)を制御する。照明制御システムは、映像又は音声を含むコンテンツの属する種類に対応して決められた色温度又は照度を含む主照明制御情報(21B)と、主照明制御情報に対して変更された色温度又は照度を含む副照明制御情報(21C)とを有するコンテンツ特性を記憶する記憶部(34)と、ユーザ(P)の操作に応じて、記憶部(34)に記憶された複数のコンテンツ特性のうち何れかのコンテンツ特性を選択する選択部(32)と、選択部により選択されたコンテンツ特性に含まれる主照明制御情報又は副照明制御情報に従って照明装置から照射する照明光を制御する制御部(31)とを有する。【選択図】      図２
2015097168.tif 000002
【特許請求の範囲】
【請求項１】
照明光の色温度又は当該照明光によって照明される任意の面の照度が調整可能な照明装置を制御する照明制御システムであって、
映像又は音声を含むコンテンツの属する種類に対応して決められた色温度又は照度を含む主照明制御情報と、前記主照明制御情報に対して変更された色温度又は照度を含む副照明制御情報とを有するコンテンツ特性を記憶する記憶部と、
ユーザの操作に応じて、前記記憶部に記憶された複数のコンテンツ特性のうち何れかのコンテンツ特性を選択する選択部と、
前記選択部により選択されたコンテンツ特性に含まれる主照明制御情報又は副照明制御情報に従って前記照明装置から照射する照明光を制御する制御部と
を備えることを特徴とする照明制御システム。
【請求項２】
前記主照明制御情報又は前記副照明制御情報は、時系列に変化するコンテンツに対応づけられ、時系列に変化する色温度又は照度を含むことを特徴とする請求項１に記載の照明制御システム。
【請求項３】
前記複数のコンテンツ特性のうち少なくとも副照明制御情報を、通信網を介して外部のサーバからダウンロードして前記記憶部に記憶させる通信部を更に備えることを特徴とする請求項１又は請求項２に記載の照明制御システム。
【請求項４】
前記制御部はユーザが操作する携帯端末に設けられ、当該携帯端末によってコンテンツを再生することを特徴とする請求項１乃至請求項３の何れか一項に記載の照明制御システム。
【発明の詳細な説明】
【技術分野】
【０００１】
本発明は、照明装置を制御する照明制御システムに関する。
【背景技術】
【０００２】
ユーザが視聴するコンテンツに対応させて照明光を制御する技術としては、下記の特許文献１に記載された映像表示装置が知られている。
【０００３】
この映像表示装置は、表示する画像の内容に連動して視聴環境の照明を制御する。これにより、映像表示装置の画面に映し出された画像の内容をより効果的に提示する。このために、映像表示装置は、番組名、放送番組の番組情報に含まれる文字列に基づいて性質キーワードを抽出する。そして、抽出した性質キーワードに対応する色を抽出し、視聴環境の照明色を決定している。
【先行技術文献】
【特許文献】
【０００４】
【特許文献１】特開２０１１−０４０９６３号公報
【発明の概要】
【発明が解決しようとする課題】
【０００５】
上述した映像表示装置は、コンテンツ制作者が表現したい画像をより忠実に再現し、視聴者がより臨場感を得られるように照明色を調整している。しかし、コンテンツ制作者の意図を表現するための照明制御は可能だが、それ以外の照明制御ができないという問題がある。
【０００６】
そこで、本発明は、上述した実情に鑑みて提案されたものであり、コンテンツに対応して照明光を制御すると共に、それ以外の要素に応じて照明光を制御できる照明制御システムを提供することを目的とする。
【課題を解決するための手段】
【０００７】
本発明の第１の態様に係る照明制御システムは、照明光の色温度又は当該照明光によって照明される任意の面の照度が調整可能な照明装置を制御する照明制御システムであって、映像又は音声を含むコンテンツの属する種類に対応して決められた色温度又は照度を含む主照明制御情報と、前記主照明制御情報に対して変更された色温度又は照度を含む副照明制御情報とを有するコンテンツ特性を記憶する記憶部と、ユーザの操作に応じて、前記記憶部に記憶された複数のコンテンツ特性のうち何れかのコンテンツ特性を選択する選択部と、前記選択部により選択されたコンテンツ特性に含まれる主照明制御情報又は副照明制御情報に従って前記照明装置から照射する照明光を制御する制御部とを備えることを特徴とする。
【０００８】
本発明の第２の態様に係る照明制御システムは、第1の態様に係る照明制御システムであって、前記主照明制御情報又は前記副照明制御情報は、時系列に変化するコンテンツに対応づけられ、時系列に変化する色温度又は照度を含むことを特徴とする。
【０００９】
本発明の第３の態様に係る照明制御システムは、第１又は第２の態様の照明制御システムであって、前記複数のコンテンツ特性のうち少なくとも副照明制御情報を、通信網を介して外部のサーバからダウンロードして前記記憶部に記憶させる通信部を更に備えることを特徴とする。
【００１０】
本発明の第４の態様に係る照明制御システムは、第１乃至第３の何れかの態様の照明制御システムであって、前記制御部はユーザが操作する携帯端末に設けられ、当該携帯端末によってコンテンツを再生することを特徴とする。
【発明の効果】
【００１１】
本発明によれば、コンテンツに対応して照明光を制御すると共に、それ以外の要素に応じて照明光を制御できる。
【図面の簡単な説明】
【００１２】
【図１】本発明の実施形態として示す照明制御システムの構成を示すシステム図である。
【図２】本発明の実施形態として示す照明制御システムの構成を示すブロック図である。
【図３】本発明の実施形態として示す照明制御システムにおけるダウンロードサーバの構成を示すブロック図である。
【図４】本発明の実施形態として示す照明制御システムにおいて時系列に色温度及び照度を変更することを示す図であり、（ａ）は色温度、（ｂ）は照度、（ｃ）は映像・音楽のコンテンツを示す。
【発明を実施するための形態】
【００１３】
以下、本発明の実施の形態について図面を参照して説明する。
【００１４】
本発明を適用した照明制御システムは、例えば図１に示すように構成される。
【００１５】
照明制御システムは、照明装置１、携帯端末１０、ダウンロードサーバ２０を含む。この照明制御システムにおいて、照明装置１と携帯端末１０とは信号の授受が可能となっている。例えば、照明装置１と携帯端末１０とは無線通信を行う。また、この照明制御システムにおいて、携帯端末１０とダウンロードサーバ２０とは通信ネットワークＮＴを介して通信が可能である。
【００１６】
この照明制御システムは、ユーザＰが存在する任意の空間に設置された照明装置１から発せられる照明光１ａを制御する。照明制御システムは、ユーザＰが携帯端末１０の表示画面１０ａで視聴するコンテンツに応じて、携帯端末１０から照明装置１に供給する調光信号Ｄ３を変化させる。
【００１７】
照明制御システムは、携帯端末１０によって照明装置１を制御する。照明装置１は、照明光１ａの色温度又は当該照明光１ａによって照明される任意の面の照度が調整可能な機能を有している。照明装置１は、例えば、複数のＬＥＤが所定の配列で設けられてなるシーリングライトにより構成される。
【００１８】
なお、照明装置１は、シーリングライトに限らず、どのような種類のものであってもよい。また、照明装置１は、単一なものに限らず、ユーザＰが存在する空間に設置された複数の照明群であってもよい。
【００１９】
携帯端末１０は、図２に示すように、照明装置１を制御するための照明制御装置３０を有している。この照明制御装置３０は、本実施形態においては携帯端末１０に収容されているが、これに限るものではない。照明制御装置３０は、例えば、壁スイッチ内に埋め込まれていてもよい。また、携帯端末１０には、少なくとも後述する制御部３１を備えているだけであってもよい。
【００２０】
携帯端末１０は、各種のコンテンツを再生する。このコンテンツは、映像又は音声を含むものが挙げられる。なお、コンテンツとしては、映像及び音声を含む映画や、音声のみを含む音楽や、映像のみを含む動画又は静止画であってもよい。
【００２１】
コンテンツには、コンテンツ情報として、コンテンツの種類が設定されている。このコンテンツの種類としては、ジャンルが挙げられる。ジャンルとしては、例えば図１に示すように、ファンタジー、ホラー、ＳＦ（Science Fiction）が挙げられる。
【００２２】
また、コンテンツ情報は、ジャンルに限らず、他の情報であってもよい。例えば、コンテンツ情報は、タイトル、出演者、再生時間、映像の色、映像の明るさ、又は、音量の大きさであってもよい。コンテンツが音楽の場合、コンテンツ情報は、ジャンル、アーティスト名、曲名、再生時間、又は、音量の大きさであってもよい。
【００２３】
照明制御装置３０は、制御部３１、選択部３２、通信部３３、及び、記憶部３４を含む。
【００２４】
通信部３３は、通信ネットワークＮＴを介してダウンロードサーバ２０と通信を行う。通信部３３は、図１に示すように、ダウンロードサーバ２０に、携帯端末１０によって再生するコンテンツに対応したコンテンツ情報Ｄ１を送信する。
【００２５】
通信部３３は、ダウンロードサーバ２０から、送信したコンテンツ情報Ｄ１に対応した照明制御情報Ｄ２を受信する。この照明制御情報Ｄ２は、制御部３１に供給される。また、照明制御情報Ｄ２は、記憶部３４に記憶してもよい。
【００２６】
制御部３１は、通信部３３によって照明制御情報Ｄ２を受信すると、当該照明制御情報Ｄ２に従って照明光１ａの色温度及び照度を調整する調光信号Ｄ３を照明装置１に供給する。
【００２７】
記憶部３４は、各種の情報を記憶する。記憶部３４は、コンテンツ情報（２１Ａ）にコンテンツ特性（２１Ｂ，２１Ｃ）を対応づけて記憶している。記憶部３４には、例えば図３に示すようなダウンロードサーバ２０に記憶されている情報を記憶する。
【００２８】
コンテンツ特性は、通信部３３を介して記憶部３４に書き込まれる。この書き込まれたコンテンツ特性は、照明装置１を制御する制御部３１によって読み込まれる。
【００２９】
コンテンツ特性は、主照明制御情報２１Ｂと副照明制御情報２１Ｃとを含む。主照明制御情報２１Ｂは、映像又は音声を含むコンテンツの属する種類（ジャンル等）に対応して決められた色温度又は照度を含む。副照明制御情報２１Ｃは、主照明制御情報２１Ｂに対して変更された色温度又は照度を含む。
【００３０】
主照明制御情報２１Ｂは、コンテンツの種類に対して色温度と照度を対応付けた照明制御情報である。この主照明制御情報２１Ｂは、コンテンツをユーザＰが視聴するときに、コンテンツの臨場感を高めるため、コンテンツ制作者が表現したい画像をより忠実に再現するような色温度及び照度であってもよい。
【００３１】
一方、副照明制御情報２１Ｃは、コンテンツに対応して照明光を制御する以外の要素に応じて照明光１ａを制御できるような色温度及び照度であればよい。例えば、副照明制御情報２１Ｃは、同様のコンテンツを視聴した他のユーザＰの意見に基づき色温度と照度を対応付けた照明制御情報であってもよい。すなわち、副照明制御情報２１Ｃは、コンテンツを視聴しているユーザＰの好みを反映した色温度及び照度であってもよい。
【００３２】
選択部３２は、ユーザの操作を認識する。選択部３２は、例えば携帯端末１０における操作部に対して行われた操作信号が供給される。選択部３２は、ユーザの操作に応じて、記憶部３４に記憶された複数のコンテンツ特性のうち何れかのコンテンツ特性を選択する。選択部３２は、ユーザの操作によってジャンルが選択されたことに応じて、ジャンルを示すコンテンツ情報２１Ａに対応した主照明制御情報２１Ｂを選択してもよい。選択部３２は、ユーザの操作に応じて、コンテンツ特性としての複数のうちの何れかの副照明制御情報２１Ｃを選択してもよい。
【００３３】
選択部３２によって選択された主照明制御情報２１Ｂ又は副照明制御情報２１Ｃは、制御部３１に供給することができる。これにより、制御部３１は、選択されたコンテンツ情報に対応したコンテンツ特性（２１Ｂ，２１Ｃ）を読み出すことができる。
【００３４】
また、選択部３２によって選択されたコンテンツ情報は、通信部３３に供給してもよい。これにより、選択されたコンテンツ情報Ｄ１は、通信ネットワークＮＴを介してダウンロードサーバ２０に送信される。
【００３５】
制御部３１は、選択部３２により選択されたコンテンツ特性に含まれる主照明制御情報２１Ｂ又は副照明制御情報２１Ｃに従って照明装置１から照射する照明光１ａを制御する。制御部３１は、照明装置１内のＬＥＤを制御して色温度又は照度を変更する調光信号Ｄ３を照明装置１に供給する。
【００３６】
また、制御部３１は、記憶部３４に記憶された照明制御用プログラムを読み出して、プログラムを実行することによって照明装置１を制御してもよい。
【００３７】
ダウンロードサーバ２０は、多数の携帯端末１０と通信が可能となっている。ダウンロードサーバ２０は、多数の携帯端末１０からコンテンツ情報Ｄ１を受信する。ダウンロードサーバ２０は、各コンテンツ情報Ｄ１に対応したコンテンツ特性を記憶部２１から読み出す。ダウンロードサーバ２０は、通信部２２によって、読み出したコンテンツ特性を携帯端末１０に供給する。
【００３８】
ダウンロードサーバ２０は、図２及び図３に示すように、記憶部２１、通信部２２を有する。記憶部２１には、少なくとも、図３に示すようなデータベースが記憶されている。上述したように、このデータベースは、コンテンツ情報２１Ａに、主照明制御情報２１Ｂ及び副照明制御情報２１Ｃを対応づけて構成されている。
【００３９】
ダウンロードサーバ２０の記憶部２１には、図３に示したように、コンテンツ情報２１Ａとして、ファンタジー、ホラー、アクション、ＳＦが記憶されている。当該コンテンツ情報２１Ａに対応して、主照明制御情報２１Ｂとして、色温度［Ｋ］及び照度［ｌｘ］が記憶されている。さらに、ダウンロードサーバ２０には、コンテンツ情報２１Ａ及び主照明制御情報２１Ｂに対応して、副照明制御情報２１Ｃが記憶されている。
【００４０】
例えば、コンテンツ情報２１Ａの「ホラー」には、主照明制御情報２１Ｂの色温度「６０００」、照度「３００」が記憶されている。さらに、この主照明制御情報２１Ｂには、副照明制御情報２１Ｃの色温度「７０００／４０００」及び照度「２００／４００」が対応づけて記憶されている。
【００４１】
副照明制御情報２１Ｃの色温度又は照度は、例えばユーザの操作に応じて選択部３２によって切り替え可能である。例えば、ホラー映画が好きなユーザは、主照明制御情報２１Ｂの色温度よりも高く（７０００Ｋ）し、主照明制御情報２１Ｂの照度よりも低く（２００ｌｘ）する副照明制御情報２１Ｃを選択することができる。一方、ホラー映画が苦手なユーザは、主照明制御情報２１Ｂの色温度よりも低く（４０００Ｋ）し、主照明制御情報２１Ｂの照度よりも高く（４００ｌｘ）する副照明制御情報２１Ｃを選択することができる。
【００４２】
ダウンロードサーバ２０は、通信部２２によって、入力情報として、例えばコンテンツ情報Ｄ１：「ホラー」を受信する。ダウンロードサーバ２０は、コンテンツ情報を受信すると、コンテンツ情報に対応した主照明制御情報２１Ｂ及び当該主照明制御情報２１Ｂに対して変更された副照明制御情報２１Ｃを読み出す。ダウンロードサーバ２０は、通信部２２によって、主照明制御情報２１Ｂ及び副照明制御情報２１Ｃを携帯端末１０に送信する。
【００４３】
なお、ダウンロードサーバ２０は、主照明制御情報２１Ｂ及び副照明制御情報２１Ｃの一方のみを携帯端末１０に送信してもよい。この場合、携帯端末１０は、ダウンロードサーバ２０から送信されていない照明制御情報を、記憶部３４から読み出すことができる。
【００４４】
また、コンテンツ情報２１Ａ、主照明制御情報２１Ｂ、及び、副照明制御情報２１Ｃは、ダウンロードサーバ２０が記憶しているコンテンツデータ（映像や音楽）に付加されていてもよい。この場合、ダウンロードサーバ２０は、コンテンツのダウンロード要求を受け、当該要求に対してコンテンツデータ、コンテンツ情報２１Ａ、主照明制御情報２１Ｂ、及び、副照明制御情報２１Ｃを携帯端末１０に送信することができる。
【００４５】
さらに、ダウンロードサーバ２０は、通信部２２によって、照明制御装置３０から照明装置１に供給した調光信号Ｄ３を受信してもよい。例えば、ダウンロードサーバ２０から照明制御装置３０に供給された主照明制御情報２１Ｂ及び副照明制御情報２１Ｃによって照明装置１を調光制御した後、ユーザの操作によって、照明装置１を更に調光する制御がされたとする。このユーザの操作は、例えばユーザＰが保有する携帯端末１０に対する操作であってもよく、照明装置１に接続された壁スイッチ等の操作であってもよい。
【００４６】
このユーザＰの操作によって変更された色温度及び照度は、通信部３３からダウンロードサーバ２０にアップロードしてもよい。これにより、ダウンロードサーバ２０は、ユーザＰが視聴しているコンテンツと、ユーザＰの好みに沿った照明光１ａの色温度及び照度の情報を取得できる。ダウンロードサーバ２０は、記憶部２１によって、取得した照明光１ａの色温度及び照度の情報を、副照明制御情報２１Ｃとして更新してもよい。これにより、ダウンロードサーバ２０は、ユーザＰが好む照明光１ａの色温度及び照度を記憶部２１に蓄積することができる。
【００４７】
さらに、ダウンロードサーバ２０に記憶している主照明制御情報２１Ｂ及び副照明制御情報２１Ｃは、時系列に変化するコンテンツに対応づけられ、時系列に変化する色温度又は照度を含んでいてもよい。
【００４８】
例えば、図４（ｃ）に示すように複数のフレームｆ１，ｆ２，ｆ３，・・・，ｆｎからなるコンテンツ（映像、音楽）である場合、コンテンツの変化に合わせて、図４（ａ）に示すように色温度を変化させてもよい。さらに、コンテンツの変化に合わせて、図４（ｂ）に示すように照度を変化させてもよい。
【００４９】
以上のように、本発明の実施形態として示した照明制御システムは、照明光の色温度又は当該照明光によって照明される任意の面の照度が調整可能な照明装置(1)を制御する。照明制御システムは、映像又は音声を含むコンテンツの属する種類に対応して決められた色温度又は照度を含む主照明制御情報(21B)と、主照明制御情報に対して変更された色温度又は照度を含む副照明制御情報(21C)とを有するコンテンツ特性を記憶する記憶部(34)を有する。さらに、照明制御システムは、ユーザ(P)の操作に応じて、記憶部(34)に記憶された複数のコンテンツ特性のうち何れかのコンテンツ特性を選択する選択部(32)を有する。さらに、照明制御システムは、選択部により選択されたコンテンツ特性に含まれる主照明制御情報又は副照明制御情報に従って照明装置から照射する照明光を制御する制御部(31)を有する。
【００５０】
このような照明制御システムによれば、主照明制御情報２１Ｂに加えて副照明制御情報２１Ｃに従って照明装置１を制御するので、コンテンツの種類のみならず、コンテンツの種類以外の要素に応じて照明光１ａを制御できる。例えば、副照明制御情報２１Ｃをユーザの好みに応じた色温度及び照度に設定して、照明装置１を制御できる。したがって、照明制御システムによれば、ユーザの好みに合わせて照明光１ａの制御をすることができる。
【００５１】
また、この照明制御システムによれば、主照明制御情報２１Ｂ又は副照明制御情報２１Ｃを、時系列に変化するコンテンツに対応づけ、時系列に変化する色温度又は照度を含ませることができる。これにより、コンテンツの種類のみならず、コンテンツ中のシーン等に応じて照明装置１を制御でき、さらに、ユーザの好みに応じて照明光１ａの色温度及び照度を時系列に変化させることができる。
【００５２】
さらに、照明制御システムは、通信部３３によって、複数のコンテンツ特性のうち少なくとも副照明制御情報２１Ｃを、通信網を介して外部のダウンロードサーバ２０からダウンロードして記憶部３４に記憶させることができる。したがって、この照明制御システムによれば、予めユーザの好みに合った副照明制御情報２１Ｃをダウンロードして、ユーザの好みに応じて照明光１ａの色温度及び照度を調整できる。
【００５３】
さらに、この照明制御システムによれば、制御部３１をユーザが操作する携帯端末１０に設けられ、当該携帯端末１０によってコンテンツを再生することができる。このとき、照明制御システムは、携帯端末１０で視聴しているコンテンツに応じて照明光１ａの色温度及び照度を調整でき、さらに、携帯端末１０を保有しているユーザＰの好みによって更に照明光１ａの色温度及び照度を調整できる。
【００５４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００５５】
１  照明装置
１０  携帯端末
２０  ダウンロードサーバ
３０  照明制御装置
３１  制御部
３２  選択部
３３  通信部
３４  記憶部
【図１】
2015097168.tif 000003
【図２】
2015097168.tif 000004
【図３】
2015097168.tif 000005
【図４】
2015097168.tif 000006